(57)【特許請求の範囲】
【請求項１】
ケーシングと、
前記ケーシング内に配置された回路ユニットであって、
制御モジュールと、
前記制御モジュールに電気的に接続されて、地震を感知することが可能な地震感知モジュールと、
前記制御モジュールに電気的に接続されて、音声アラームを発することが可能なスピーカと、
前記制御モジュールに電気的に接続されて、無線信号を送信することが可能な送信器モジュールと、
前記制御モジュールに電気的に接続されて、熱を発生することが可能な発熱モジュールと、を含む
回路ユニットと、を備える地震警報装置であって、
前記ケーシング内に配置され、前記回路ユニットの前記制御モジュールに電気的に接続された照明ユニットと、
前記ケーシングから露出しており、この地震警報装置の動作を、地震警報モードと懐中電灯モードの間で切替えるように操作可能であるモードスイッチと、前記ケーシングから露出しており、光を発するように前記照明ユニットを制御するために、前記制御モジュールを動作するように操作可能である懐中電灯制御ボタンと、
を更に備え、
この地震警報装置が前記地震警報モードで動作する場合には、前記制御モジュールは、地震が感知されたことを前記地震感知モジュールによって通知されると、熱を発生するように前記発熱モジュールを制御し、音声アラームを発するように前記スピーカを制御し、無線信号を送信するように前記送信器モジュールを制御し、
この地震警報装置が前記懐中電灯モードで動作する場合には、前記懐中電灯制御ボタンによって起動されるとすぐに、前記制御モジュールは、前記地震感知モジュール、前記発熱モジュール、前記スピーカおよび前記送信器モジュールをオフにし、光を発するように前記照明ユニットを制御する
ことを特徴とする救助支援機能を有する地震警報装置。
【請求項２】
前記無線信号は、関連する救助信号を示す、無線周波数（ＲＦ）信号、無線ＩＤ（ＲＦＩＤ）信号および無線ネットワーク信号のうちの１つであることを特徴とする請求項１に記載の地震警報装置。
【請求項３】
前記照明ユニットは、点滅する光を発することを特徴とする請求項１に記載の地震警報装置。
【請求項４】
前記ケーシング内に配置されて、前記制御モジュールに電気的に接続される充電式電池をさらに備えることを特徴とする請求項１に記載の地震警報装置。
【請求項５】
前記ケーシングから露出し、前記制御モジュールに電気的に接続されるコネクタをさらに備え、前記コネクタは、外部機器に電気的に接続されるように適合され、前記制御モジュールは、地震が感知されたことを前記地震感知モジュールによって通知されると、前記外部機器の動作を制御するために、前記コネクタを経由して前記外部機器に送信される制御信号を生成することを特徴とする請求項１に記載の地震警報装置。
【発明の詳細な説明】
【技術分野】
【０００１】
（関連出願の相互参照）
本出願は、２０１２年５月２１日に出願された台湾特許出願第１０１２０９５５９号について、優先権を主張する。
【０００２】
本発明は、地震警報装置に関し、より詳細には、救助支援機能を有する地震警報装置に関する。
【背景技術】
【０００３】
従来の地震警戒システムは、地震感知モジュール、充電式電池、スピーカ、表示ランプユニットおよび制御モジュールを備え、制御モジュールは、地震感知モジュール、充電式電池、スピーカおよび表示ランプユニットに電気的に接続されている（例えば、特許文献１参照）。
【０００４】
地震を感知すると、地震感知モジュールは制御モジュールに通知し、その結果、制御モジュールが音声アラームを発するようにスピーカを制御し、「地震警報」状態を表示するように表示ランプユニットを制御する。
【０００５】
従来の地震警戒システムは、さらに無線モジュールを備え、音響のＳＯＳ信号（すなわち、モールス符号の遭難信号）を発生するように手動でスイッチを入れることができる。
【先行技術文献】
【特許文献】
【０００６】
【特許文献１】特開平０８−０７７４７５号公報
【発明の概要】
【発明が解決しようとする課題】
【０００７】
しかし、従来の地震警戒システムは救助および安全対策の点では不十分である。
【０００８】
したがって、本発明の目的は、高い救助支援機能を有する地震警報装置を提供することである。
【課題を解決するための手段】
【０００９】
よって、本発明の地震警報装置は、ケーシングおよび回路ユニットを備える。回路ユニットはケーシング内に配置され、制御モジュール、地震感知モジュール、スピーカ、送信器モジュールおよび発熱モジュールを含む。
【００１０】
地震感知モジュールは、制御モジュールに電気的に接続されて、地震を感知することができる。
【００１１】
スピーカは、制御モジュールに電気的に接続されて、音声アラームを発することができる。
【００１２】
送信器モジュールは、制御モジュールに電気的に接続されて、無線信号を送信することができる。
【００１３】
発熱モジュールは、制御モジュールに電気的に接続されて、熱を発生することができる。
【００１４】
制御モジュールは、地震が感知されたことを地震感知モジュールによって通知されると、熱を発生するように発熱モジュールを制御し、音声アラームを発するようにスピーカを制御し、無線信号を送信するように送信器モジュールを制御する。
【００１５】
本発明の他の特徴および利点は、添付図面を参照して、本発明の好ましい実施形態の下記の詳細な説明で明らかになるであろう。
【発明の効果】
【００１６】
本発明によれば、高い救助支援機能を有する地震警報装置を提供することができる。
【図面の簡単な説明】
【００１７】
【図１】本発明の第１の好ましい実施形態による地震警報装置の斜視図
【図２】第１の好ましい実施形態の正面概略図
【図３】第１の好ましい実施形態の部分的ブロックダイヤグラム
【図４Ａ】第１の好ましい実施形態の動作を示すフローチャート
【図４Ｂ】第１の好ましい実施形態の動作を示すフローチャート
【図５】本発明の第２の好ましい実施形態による地震警報装置の斜視図
【図６】第２の好ましい実施形態の正面概略図
【発明を実施するための形態】
【００１８】
本発明に付随する好ましい実施形態に関連してより詳細に説明する前に、ここで、本開示の全体を通して、類似の構成要素は同じ参照符号によって示されることに留意されたい。
【００１９】
図１〜図３を参照すると、本発明の第１の好ましい実施形態による救助支援機能を有する地震警報装置１００（以下、地震警報装置１００と称する）は、ケーシング１、回路ユニット２、照明ユニット３、充電式電池４、表示ランプユニット５、モードスイッチ６、懐中電灯制御ボタン７および電源プラグ８を備える。
【００２０】
ケーシング１は、例として、管状の形で、携帯使用に適した大きさであることが挙げられる。
【００２１】
回路ユニット２および照明ユニット３は、ケーシング１内に配置され、電気的に接続される。照明ユニット３は、例として、光を発生させるための発光ダイオードを備えることが挙げられる。ケーシング１は、照明ユニット３によって発せられた光を集中させるためのランプシェード１１を備える。
【００２２】
回路ユニット２は制御モジュール２１、地震感知モジュール２２、送信器モジュール２３、発熱モジュール２４およびスピーカ２５を含む。
【００２３】
制御モジュール２１は、例として、ＳＮ８Ｆ２７Ｅ６５シリーズ・マイクロコントローラなどのマイクロコントローラユニット（図示せず）が挙げられ、信号処理および制御機能を実行することが挙げられる。
【００２４】
地震感知モジュール２２は、制御モジュール２１に電気的に接続されて、地震を感知することができる。本実施形態では、地震感知モジュール２２は、例として、３つの互いに垂直な軸における地震警報装置１００の加速度の変動を感知できる３軸重力センサを使用することが挙げられる。
【００２５】
送信器モジュール２３は、制御モジュール２１に電気的に接続されて、コンピュータまたは遠隔救助機器（図示せず）と通信するための無線信号を送信することができる。無線信号は、関連する救助情報を示す無線周波数（ＲＦ）信号、無線ＩＤ（ＲＦＩＤ）信号または無線ネットワーク信号でもよい。
【００２６】
発熱モジュール２４は、制御モジュール２１に電気的に接続されて、捜索および救助目的の赤外線生命感知器などの熱探知機器によって発見されるように熱を発生することができる。
【００２７】
スピーカ２５は、制御モジュール２１に電気的に接続されて、音声アラームを発することができる。
【００２８】
充電式電池４は、ケーシング１内に配置され、代替電源として制御モジュール２１に電気的に接続される。
【００２９】
表示ランプユニット５は、制御モジュール２１に電気的に接続され、第１、第２、第３および第４の表示ランプ５１、５２、５３、５４ならびに充電中表示ランプ５５を備える。
【００３０】
モードスイッチ６はケーシング１から露出しており、制御モジュール２１に接続され、４つの異なる位置の間を移動するように操作可能であり、これは４つの異なるモード、すなわち、手動で助けを求めるモード、地震警報モード、すべてオフのモードおよび懐中電灯モードのうちで、地震警報装置１００の動作を切り替えるためである。
【００３１】
懐中電灯制御ボタン７は、ケーシング１から露出しており、制御モジュール２１に接続されて、光を発するように照明ユニット３を制御するために、制御モジュール２１を動作させるように操作可能である。
【００３２】
電源プラグ８は、充電式電池４および制御モジュール２１に電気的に接続されており、交流電源から電気を得て、それを地震警報装置１００の電気的な構成部品に供給し、充電式電池４を充電するために、交流電源（図示せず）に接続されるように適合される。プラグ８が交流電源に接続される場合に、充電中表示ランプ５５は、例えば、充電式電池４がフル充電されると、緑の光を発することができ、また、例えば、そうでなければ、赤の光を発することができる。
【００３３】
図２から図４を参照して、本実施形態による地震警報装置１００の動作を以下に説明する。
【００３４】
上述したように、地震警報装置１００には４つの動作モードがある。すなわち、手動で助けを求めるモード、地震警報モード、すべてオフのモードおよび懐中電灯モードである。
【００３５】
ステップＳ１では、制御モジュール２１は、モードスイッチ６の位置に基づいて、地震警報装置１００がどの動作モードであるか判定する。ステップＳ１で地震警報装置１００は手動で助けを求めるモードであることが判定されると、フローはステップＳ２に進み、ここで制御モジュール２１は、地震警報装置１００が現在、手動で助けを求めるモードで動作中であることを示すために、点灯するように第１の表示ランプ５１を制御し、ユーザが周囲を観察するのを支援するために、光を発するように照明ユニット３を制御し、ユーザが捜索救助隊員によって居場所を突き止められるのを助けるために、熱を発生するように発熱モジュール２４を制御し、助けが必要であることを外部に知らせるために、無線信号を送信するように送信器モジュール２３を制御する。ステップＳ２の後、処理はステップＳ１に戻る。
【００３６】
ステップＳ１で地震警報装置１００は地震警報モードであることが判定されると、フローはステップＳ３’に進み、ここで制御モジュール２１は、地震警報装置１００が現在、地震警報モードで動作中であることを示すために、点灯するように第２の表示ランプ５２を制御し、次いでステップＳ３に進み、ここで制御モジュール２１は、電源プラグ８経由で交流電源から電気を受けているかどうかを判定する。判定が肯定的な場合には、処理は直接にステップＳ７に進む。そうでない場合には、停電が起こったかもしれず、処理はステップＳ４に進み、ここで充電式電池４は、地震警報装置１００の動作に必要な電力を提供するために使用され、制御モジュール２１は、非常用照明のための光を発するように照明ユニット３を制御する。電力が復帰するか監視するために、ステップＳ４を完了後、処理はステップＳ５に進む。ここで、電源プラグ８が壁コンセントに差し込まれているときには、地震警報装置１００は地震警報モードで動作するのが好ましいことに留意されたい。
【００３７】
言いかえれば、ステップＳ５では、制御モジュール２１は、電気を電源プラグ８経由で交流電源から受けているかどうかを判定する。肯定的な場合には、フローはステップＳ６に進み、ここで制御モジュール２１は照明ユニット３をオフにする。そうでない場合には、フローは直接にステップＳ７に進む。ステップＳ６を完了後、フローはステップＳ７に進む。
【００３８】
ステップＳ７では、制御モジュール２１は、地震が感知されたことを制御モジュール２１に通知するために、通知が地震感知モジュール２２から受け取られたかどうかを判定する。肯定の場合には、プロセスはステップＳ８に進み、そうでない場合には、フローはステップＳ１に戻る。ステップＳ８では、制御モジュール２１は、例えば点滅する光を発するように照明ユニット３を制御し、熱を発生するように発熱モジュール２４を制御し、音声アラームを発するようにスピーカ２５を制御し、無線信号を送信するように送信器モジュール２３を制御する。
【００３９】
必要に応じて、地震が止まったことを地震感知モジュール２２が制御モジュール２１に通知した後、制御モジュール２１が、柔軟に設定されたタイミングで、照明ユニット３、スピーカ２５、発熱モジュール２４および送信器モジュール２３をそれぞれオフにしてもよい。例えば、スピーカ２５を、地震が止まったと感知されてから３秒後にオフにしてもよい。照明ユニット３および発熱モジュール２４を、地震が止まったと感知されてから３分後にオフにしてもよい。送信器モジュール２３を、地震が止まったと感知されてから３日後にオフにしてもよい。ステップＳ８を完了後、フローはステップＳ１に戻る。
【００４０】
ステップＳ１で地震警報装置１００はすべてオフのモードであることが判定されると、フローはステップＳ９に進み、ここで制御モジュール２１は、地震警報装置１００が現在、すべてオフのモードで動作中であること示すために、点灯するように第３の表示ランプ５３を制御し、照明ユニット３、スピーカ２５、発熱モジュール２４および送信器モジュール２３をオフにする。例えば、移動中には、地震警報装置１００はすべてオフのモードで動作してもよい。ステップＳ９を完了後、フローはステップＳ１に戻る。
【００４１】
ステップＳ１で地震警報装置１００が懐中電灯モードであることが判定されると、フローはステップＳ１０に進み、ここで制御モジュール２１は、地震警報装置１００が現在、懐中電灯モードで動作中であること示すために、点灯するように第４の表示ランプ５４を制御し、地震感知モジュール２２、発熱モジュール２４、スピーカ２５および送信器モジュール２３をオフにする。その後、ステップＳ１１では、制御モジュール２１は、懐中電灯制御ボタン７が押されたかどうか判定する。肯定的な場合には、処理はステップＳ１２に進み、ここで制御モジュール２１は光を発するように照明ユニット３を制御し、そうでない場合には、処理はステップＳ１に戻る。懐中電灯モードでは、地震警報装置１００は、本質的には持ち運びできる懐中電灯として機能する。
【００４２】
あるいは、懐中電灯制御ボタン７はまた、地震警報装置１００の現在の動作モードにかかわらず、押されたときに、地震警報装置１００の動作を手動で救助を求めるモードに切替える制御ボタンとして機能してもよい。本発明の実際の実施は、様々な設計要件にしたがって変化してもよく、本発明はこの点で限定されないことを当業者は理解されたい。
【００４３】
図５および図６を参照すると、本発明の第２の好ましい実施形態による地震警報装置１００’は、地震警報装置１００’がコネクタ９をさらに備えるという点を除いて、第１の好ましい実施形態のものと同様であり、このコネクタ９は、ケーシング１から露出し、制御モジュール２１に電気的に接続される。コネクタ９は、電気式ドア開閉装置、ガス開閉器、その他の外部機器（図示せず）に電気的に接続されるように適合される。地震警報モードで動作中に、制御モジュール２１は、地震が感知されたことを地震感知モジュール２２によって通知されると、外部機器の動作を制御するために、コネクタ９経由で外部機器に送信される制御信号を生成する。例えば、外部機器が電気式ドア開閉装置である場合には、制御信号は、自動的にドアを開けるように電気式ドア開閉装置をオンにすることになり、外部機器がガス開閉器である場合には、制御信号はガス漏出を防ぐようにガス開閉器をオフにすることになる。言いかえれば、地震警報装置１００’は高い安全対策を有する。
【００４４】
ここで、必要に応じて、地震警報装置１００、１００’の慣性の変動を検出するために地震感知モジュール２２に接続されるジャイロスコープ（図示せず）を、地震警報装置１００、１００’がさらに備えてもよく、その結果、地震の感知中に、慣性の変動を考慮に入れてもよいことに留意されたい。これは、例えば、地震警報装置１００、１００’を、車両のタバコ用ライタの差込口に差し込んで使うように適合させた場合には、有益であろう。
【００４５】
要するに、地震警報装置１００、１００’は、持ち運び可能に設計されており、懐中電灯モードでは、懐中電灯として使用してもよい。送信器モジュール２３、発熱モジュール２４および照明ユニット３を備えることで、地震警報装置１００、１００’は、地震警報モードで動作中に、従来技術と同様に音声アラームを出すことが可能なだけでなく、熱赤外線救助を促進する熱を発生すること、非常用照明を点灯すること、および、無線信号の形式で救助関連の情報を外界に知らせることが可能であり、それによって、高い救助支援機能を実現することが可能である。
【００４６】
最も実用的で好ましい実施形態であると考えられるものに関連して本発明を説明したが、本発明は、開示された実施形態に限定されるものではなく、最も広い解釈の精神および範囲内に含まれる様々な変更ならびに同等な変更を包含するように意図されていることを理解されたい。
【符号の説明】
【００４７】
１００、１００’・・・地震警報装置
１・・・・ケーシング
２・・・・回路ユニット
２１・・・制御モジュール
２２・・・地震感知モジュール
２３・・・送信器モジュール
２４・・・発熱モジュール
２５・・・スピーカ
３・・・・照明ユニット
４・・・・充電式電池
５・・・・表示ランプユニット
５１・・・第１の表示ランプ
５２・・・第２の表示ランプ
５３・・・第３の表示ランプ
５４・・・第４の表示ランプ
５５・・・充電中表示ランプ
６・・・・モードスイッチ
７・・・・懐中電灯制御ボタン
８・・・・電源プラグ
【図１】
0005674860.tif 000002
【図２】
0005674860.tif 000003
【図３】
0005674860.tif 000004
【図４Ａ】
0005674860.tif 000005
【図４Ｂ】
0005674860.tif 000006
【図５】
0005674860.tif 000007
【図６】
0005674860.tif 000008